(57)【要約】【課題】遊技機器用コイン識別機におけるコインの識別基準データの更新を簡単な操作によって行い得るようにすること。【解決手段】遊技台用台間機１に組み込まれているコイン識別機５のコイン通路１５には発振側コイル２１ａ、受信側コイル２１ｂを備えたコイン材質センサ２１が配置されている。コインＣの識別基準データ２５の更新時には、更新データ４２ｂが担持されているデータ更新用コインＣａをコイン通路１５に投入すると、それが発振側コイル２１ａ、受信側コイル２１ｂに対峙した位置で止まる。この後は、コイン識別機５とデータ更新用コインＣａとの間で通信が行われ、識別基準データ２５の更新が自動的に行われる。更新後は、データ更新用コインＣａがコイン識別機５から排出される。データ更新用コインＣａを投入するという極めて簡単な作業によりコインの識別基準データを更新できる。【選択図】図２
2007179409.tif 000002
【特許請求の範囲】
【請求項１】
コイン識別機のコイン通路に、発振側コイルおよび受信側コイルを備えたコインセンサを配置し、前記コインセンサにより、前記コイン通路を通過するコインを識別するためのコイン情報を検出し、前記コインセンサにより検出されたコイン情報を、記憶保持されている識別基準データと照合して、前記コインの識別を行う遊技機器用コイン識別機のデータ更新方法であって、
データ更新用コインを前記コイン通路に投入して、前記コインセンサの前記発振側コイルおよび前記受信側コイルに対峙する位置に停止させ、
前記データ更新用コインから、当該データ更新用コインであることを示すコイン識別データを送信し、
前記コイン識別機は、前記受信側コイルを介して前記コイン識別データを受信すると、データ更新モードに切り替わり、データ更新許可信号を前記発振側コイルを介して送信し、
前記データ更新用コインは、前記データ更新許可信号を受信すると、更新データを送信し、
前記コイン識別機は、前記更新データを前記受信側コイルを介して受信すると、当該更新データを用いて前記識別基準データの更新を行い、
前記識別基準データの更新後に、前記コイン識別機の前記コイン通路から、前記データ更新用コインを外部に排出させることを特徴とする遊技機器用コイン識別機のデータ更新方法。
【請求項２】
請求項１に記載の遊技機器用コイン識別機のデータ更新方法に用いるデータ更新用コインであって、
前記コイン識別データおよび前記更新データを記憶保持している記憶部と、
前記コイン識別機の前記コイン通路に配置されている前記コインセンサの前記発振側コイルの発振により発電する発電部と、
前記発電部から駆動電力が供給されると前記コイン識別データを送信し、前記データ更新許可信号を受信すると前記更新データを送信する送受信部とを有していることを特徴とするデータ更新用コイン。
【請求項３】
請求項１に記載の遊技機器用コイン識別機のデータ更新方法によってデータ更新が行われる遊技機器用コイン識別機であって、
前記識別基準データが記憶保持されている記憶部と、
前記コイン識別データを受信すると、動作モードをデータ更新モードに切り替えるモード切り替え部と、
前記更新モードに切り替わると、前記データ更新許可信号を送信する送信制御部と、
前記データ更新モードの状態において受信した前記更新データを用いて、前記識別基準データを更新する更新制御部とを有していることを特徴とする遊技機器用コイン識別機。
【発明の詳細な説明】
【技術分野】
【０００１】
本発明は、遊技店に設置されているパチンコ玉、ゲーム用コインなどの遊技媒体の貸し出しを行う遊技媒体貸出機に搭載されているコイン識別機、遊技機に搭載されているゲーム用コインを識別するためのコイン識別機などの遊技機器用コイン識別機におけるデータ更新方法に関するものである。
【背景技術】
【０００２】
パチンコ玉の貸し出しを行うための玉貸機に搭載されている硬貨識別機では、投入された硬貨が通過するコイン通路にコイン材質センサ、コイン厚みセンサ、コイン外径センサなどのコインセンサが配置されている。これらのセンサによって検出された材質、厚みおよび外径に基づき、投入された硬貨の真偽、種類が識別される。また、遊技媒体としてコインを用いて遊技を行う遊技機においても、投入されたコインを識別するために、同様なコインセンサが取り付けられている。
【０００３】
このような遊技機器用コイン識別機のコインセンサとしては、コイン通路を挟み発振側コイルおよび受信側コイルが対向配置された構成のものを用いることができる。この形式のコインセンサは、特許文献１、２に開示されている。
【０００４】
また、コイン識別機におけるコインの真偽、種類の識別は、これらのコインセンサによって検出されたコインの厚み、材質、外径などのコイン情報を、予め記憶保持されている識別基準データと照合することにより行われる。使用する識別基準データの切り替え作業を簡単に行うために、特許文献３には、各種の識別基準データ（識別パターン）を記憶手段に保持させ、当該記憶手段に保持されている識別基準データを選択することにより、識別基準データを切り替え可能な方法が開示されている。
【特許文献１】特開２００４−４６５７２号公報
【特許文献２】特許第２５６７６５４号公報
【特許文献３】特開平２−４８７８８号公報
【発明の開示】
【発明が解決しようとする課題】
【０００５】
ここで、コイン識別機で識別できないような新たな偽造コインが発見された場合には、そのような偽造コインを真正コインと区別できるように、識別基準データを厳しくする、あるいは、新たな識別基準データを採用するなどの対策が必要になる。また、識別対象のコインとして新たなコインが追加された場合にも、そのようなコインを識別するための新たな識別基準データを採用する必要がある。
【０００６】
しかしながら、特許文献３に開示の方法では、新たに識別基準データを追加する場合、識別基準データの厳しさを記憶手段に保持されていない新たなものに切り替える場合などには対応できない。したがって、このような場合には、専用の書込み機をコイン識別機に接続して、記憶保持されている識別基準データの更新作業を行う必要がある。かかるデータ更新作業は、効率が悪く、また、コストが高いという問題点がある。
【０００７】
本発明の課題は、このような点に鑑みて、簡単な操作によって効率良く、コインの識別基準データの更新を行い得るようにした遊技機器用コイン識別機のデータ更新方法を提案することにある。
【０００８】
また、本発明の課題は、かかる新たなデータ更新方法に用いるためのデータ更新用コインを提案することにある。
【０００９】
さらに、本発明の課題は、かかる新たなデータ更新方法によって識別基準データの更新を行うことのできる遊技機器用コイン識別機を提案することにある。
【課題を解決するための手段】
【００１０】
上記の課題を解決するために、本発明は、コイン識別機のコイン通路に、発振側コイルおよび受信側コイルを備えたコインセンサを配置し、前記コインセンサにより、前記コイン通路を通過するコインを識別するためのコイン情報を検出し、前記コインセンサにより検出されたコイン情報を、記憶保持されている識別基準データと照合して、前記コインの識別を行う遊技機器用コイン識別機のデータ更新方法であって：
データ更新用コインを前記コイン通路に投入して、前記コインセンサの前記発振側コイルおよび前記受信側コイルに対峙する位置に停止させ、前記データ更新用コインから、当該データ更新用コインであることを示すコイン識別データを送信し；前記コイン識別機は、前記受信側コイルを介して前記コイン識別データを受信すると、データ更新モードに切り替わり、データ更新許可信号を前記発振側コイルを介して送信し；前記データ更新用コインは、前記データ更新許可信号を受信すると、更新データを送信し；前記コイン識別機は、前記更新データを前記受信側コイルを介して受信すると、当該更新データを用いて前記識別基準データの更新を行い；前記識別基準データの更新後に、前記コイン識別機の前記コイン通路から、前記データ更新用コインを外部に排出させることを特徴としている。
【００１１】
次に、本発明は、上記の遊技機器用コイン識別機のデータ更新方法に用いるデータ更新用コインであって、前記コイン識別データおよび前記更新データを記憶保持している記憶部と、前記コイン識別機の前記コイン通路に配置されている前記コインセンサの前記発振側コイルの発振により発電する発電部と、前記発電部から駆動電力が供給されると前記コイン識別データを送信し、前記更新許可信号を受信すると前記更新データを送信する送受信部とを有していることを特徴としている。
【００１２】
また、本発明は、上記の遊技機器用コイン識別機のデータ更新方法によってデータ更新が行われる遊技機器用コイン識別機であって、前記識別基準データが記憶保持されている記憶部と、前記コイン識別データを受信すると、動作モードをデータ更新モードに切り替えるモード切り替え部と、前記更新モードが切り替わると、前記更新許可信号を送信する送信制御部と、前記データ更新モード状態において受信した前記更新データを用いて、前記識別基準データを更新する更新制御部とを有していることを特徴としている。
【発明の効果】
【００１３】
本発明によれば、コインセンサの発振側コイルおよび受信側コイルを利用して、コイン通路に投入したデータ更新用コインとの間で通信を行わせ、これによって、識別基準データの更新を行うようにしている。したがって、識別対象のコインの代わりに、更新用のデータが担持されているデータ更新用コインをコイン通路に投入するという極めて簡単な操作を行うだけで、識別基準データを任意のものに更新することができる。
【発明を実施するための最良の形態】
【００１４】
以下に、図面を参照して、本発明の遊技機器用コイン識別機のデータ更新方法の実施の形態を説明する。
【００１５】
図１は、本発明の方法によりデータ更新を行うことのできるコイン識別機が搭載された遊技台用台間機を示す説明図である。遊技台用台間機１は、遊技店に設置された遊技台２の間に配置され、隣接する遊技台２で遊技するための遊技媒体の貸し出し処理を行うためのものである。遊技台用台間機１には、紙幣識別機３、制御ユニット４、コイン識別機５、カードリーダライタ６および電源ユニット７などが組み込まれている。また、遊技台用台間機１の前面には、その上側から状態表示ランプ８、紙幣挿入口９、表示画面およびテンキーなどが配列された操作部１０、コイン投入口１１、コイン排出口１２およびカード挿入口１３などが配置されている。
【００１６】
コイン投入口１１からコインＣを投入すると、コイン識別機５のコイン通路１５をコインＣが通過し、コイン通路１５の途中に配置されているコインセンサ２０によって、コインＣの材質、厚み、外径などのコイン情報が検出される。検出されたコイン情報に基づきコイン識別機５は投入されたコインＣの真偽、種類の識別を行い、その識別結果を遊技台用台間機１の制御ユニット４に供給する。制御ユニット４は、供給された情報に基づき、遊技媒体の貸し出し処理を行う。投入されたコインＣが偽造コインの場合、受け入れ出来ない種類のコインの場合には、投入されたコインＣがコイン排出口１２から排出される。
【００１７】
図２（ａ）はコイン識別機５の主要部分を示す概略ブロック図である。コイン識別機５におけるコイン通路１５の途中位置に配置されているコインセンサ２０は、コイン材質センサ２１、コイン厚みセンサ２２、およびコイン外径センサ２３を備えている。コイン材質センサ２１は、コイン通路１５を挟み、その厚さ方向に対向配置した発振側コイル２１ａおよび受信側コイル２１ｂを備えている。同様に、コイン厚みセンサ２２およびコイン外径センサ２３は、コイン通路１５を挟み、その厚さ方向に対向配置した発振側コイル２２ａ、２３ａおよび受信側コイル２２ｂ、２３ｂを備えている。この構成のコインセンサ２０により検出されたコイン情報（材質、厚み、外径）は、コイン識別機５の制御回路２４に供給される。
【００１８】
制御回路２４はマイクロコンピュータを中心に構成された回路であり、コインの識別基準データ２５が書き換え可能な状態で記憶保持されている記憶部２６と、コインセンサ２０から供給されるコイン情報を記憶部２６の識別基準データ２５に照合して投入されたコインの識別を行う識別部２７を備えている。識別部２７は、コイン情報に基づき、投入されたコインの真偽、種類を識別する。
【００１９】
また、識別部２７は、投入されたコインが、識別基準データ２５を更新するために用いるデータ更新用コインであると識別した場合には、当該識別結果を、モード切り替え部２８に供給するようになっている。モード切り替え部２８は、データ更新用コインが検出された場合には、コイン識別機５の動作モードを通常のコイン識別モードからデータ更新モードに切り替えるようになっている。
【００２０】
モード切り替え部２８によって動作モードがデータ更新モードに切り替わると、送信制御部２９は、データ更新が可能であることを表すデータ更新許可信号をコイン材質センサ２１の発振側コイル２１ａを介して送信するようになっている。更新制御部３０は、データ更新モードの状態において、コイン材質センサ２１の受信側コイル２１ｂを介して受信した更新データを用いて、記憶部２６の識別基準データ２５の更新処理を行うようになっている。また、送信制御部２９は、動作モードがデータ更新モードの間は、その旨を表す信号を遊技台用台間機１の制御ユニット４に供給する。制御ユニット４は当該信号を受けている間は、例えば、状態表示ランプ８を点滅させることにより、コイン識別機５がデータ更新中であることを表示するようになっている。
【００２１】
ここで、図２（ｂ）には、コインセンサ２０が配置されているコイン通路１５の部分を側方から見た場合の説明図である。コイン通路１５におけるコイン材質センサ２１が配置されている部分の天面１５ａの部分には、昇降ガイド３１が配置されている。この昇降ガイド３１とコイン通路１５の底面１５ｂの間隔、すなわち、コイン通路の高さは、識別対象のコインＣの最大外径より大きな寸法とされ、後述のデータ更新用コインＣａの外径よりも小さな寸法とされている。したがって、データ更新用コインＣａが投入されると、当該データ更新用コインＣａは昇降ガイド３１に当り、コイン材質センサ２１における発振側コイル２１ａおよび受信側コイル２１ｂの間に止まることになる。
【００２２】
昇降ガイド３１はソレノイド３２によって昇降可能となっている。ソレノイド３２は、例えば、更新制御部３０によるデータ更新が終了すると、一時的に励磁されて昇降ガイド３１を上方に引き上げるようになっている。昇降ガイド３１が上昇位置に上がると、データ更新用コインＣａがコイン通路１５に沿って落下して、コイン排出口１２から排出される。
【００２３】
次に、図３はデータ更新用コインＣａを示す概略ブロック図である。データ更新用コインＣａは、非接触型ＩＣチップと同様に機能するものであり、制御部４１、記憶部４２、送受信部４３および発電部４４を備えている。記憶部４２は例えばＲＯＭからなり、ここには、制御プログラムと共に、データ更新用コインＣａであることを表すコイン識別データ４２ａと、更新データ４２ｂとが保持されている。送受信部４３は、送受信用のコイル４３ａを備えており、コイン識別データ４２ａおよび更新データ４２ｂの送信を行う。また、コイン識別機５の側からデータ更新許可信号を受信する。発電部４４は、送受信部４３、充放電回路４４ａおよび二次電池４４ｂから構成されており、コイン識別機５の側のコイン材質センサ２１の発振側コイル２１ａの発振を受けて発電し、各部に駆動電力を供給すると共に、二次電池４４ｂを充電する。
【００２４】
（コインの識別基準データの更新動作）
次に、このように構成されているデータ更新用コインＣａを用いたデータ更新動作を説明する。遊技台用台間機１のコイン投入口１１からデータ更新用コインＣａを投入すると、当該データ更新用コインＣａはコイン識別機５のコイン通路１５を落下し、当該コイン通路１５の昇降ガイド３１に当り、そこに止まる（図２（ｂ）参照）。この結果、データ更新用コインＣａはコイン材質センサ２１の発振側コイル２１ａおよび受信側コイル２１ｂの間に位置する。
【００２５】
データ更新用コインＣａの発電部４４は、コイン材質センサ２１の発振側コイル２１ａの発振を受けて発電し、二次電池４４ｂを充電すると共に、各部に駆動電力を供給する。制御部４１の制御の下に、記憶部４２に保持されているコイン識別データ４２ａが送受信部４３を介して送信される。
【００２６】
コイン識別機５は、コイン材質センサ２１の受信側コイル２１ｂを介してコイン識別データ４２ａを受信し、このデータに基づき、識別部２７は、投入されたコインがデータ更新用コインＣａであることを識別し、その旨をモード切り替え部２８に出力する。この結果、モード切り替え部２８はコイン識別機５の動作モードをコイン識別モードからデータ更新モードに切り替える。データ更新モードに切り替わると、送信制御部２９からデータ更新許可信号が発振側コイル２１ａを介して送信される。また、コイン識別機５がデータ更新モードになった旨が遊技台用台間機１の制御ユニット４に供給される。制御ユニット４は、状態表示ランプ８を所定の形態で点滅駆動して、データ更新モードであることを表示する。
【００２７】
データ更新用コインＣａは、データ更新許可信号を送受信部４３を介して受信すると、記憶部４２に保持されている更新データ４２ｂを送受信部４３を介して送信する。
【００２８】
コイン識別機５は、受信側コイル２１ｂを介して更新データ４２ｂを受信し、当該更新データ４２ｂを識別部２７を介して更新制御部３０に供給する。更新制御部３０は、受け取った更新データ４２ｂを用いて、記憶部２６に保持されている識別基準データ２５の更新動作を行う。
【００２９】
識別基準データ２５の更新が終了すると、更新制御部３０は更新が終了した旨の出力をモード切り替え部２８および送信制御部２９に供給する。送信制御部２９は、更新が終了した旨の出力を発振側コイル２１ａを介してデータ更新用コインＣａに向けて送信する。同時に、遊技台用台間機１の制御ユニット４にも更新が終了した旨の出力を供給する。制御ユニット４は当該出力を受け取ると、状態表示ランプ８の点滅を止める。
【００３０】
データ更新用コインＣａは、更新が終了した旨の出力を受信側コイル２１ｂを介して受信すると、記憶部４２に更新が終了した旨の情報を記憶する。なお、データ更新用コインＣａに、データ更新が可能な回数を書き込んでおき、データの更新回数をカウントすることができる。このようにすれば、データ更新可能なコイン識別機５の台数を制限することができる。
【００３１】
更新が終了した旨の出力が出ると、それに応答してソレノイド３２が一時的に励磁される。この結果、昇降ガイド３１が一時的に上昇して、昇降ガイド３１によって停止させられていたデータ更新用コインＣａがコイン通路１５を落下して、遊技台用台間機１のコイン排出口１２から排出される。以上により、コインの識別基準データの更新動作が終了する。
【００３２】
なお、セキュリティを高めるためには、データ更新用コインＣａとコイン識別機５の間の通信は、通信情報を暗号化した状態で行うことが望ましい。また、本例では、データ更新用コインＣａをコイン材質センサ２１の配置位置に停止させているが、コイン厚みセンサ２２あるいはコイン外径センサ２３の位置に停止させて、それらを用いて、通信を行うようにしてもよい。
【００３３】
以上説明したように、遊技台用台間機１のコイン識別機５におけるコインの識別基準データ２５の更新は、更新データ４２ｂを担持したデータ更新用コインＣａをコイン投入口１１から投入し、コイン通路１５に配置されているコインセンサ２０の送受信機能を利用して行うようになっている。したがって、単に、データ更新用コインＣａを投入するという作業を行うのみでよく、極めて簡単に行うことができる。
【図面の簡単な説明】
【００３４】
【図１】本発明を適用した遊技台用台間機を示す説明図である。
【図２】（ａ）は図１の遊技台用台間機に組み込まれているコイン識別機の概略ブロック図であり、（ｂ）はそのコイン通路を側方から見た場合の説明図である。
【図３】データ更新用コインの制御系を示す概略ブロック図である。
【符号の説明】
【００３５】
１    遊技台用台間機
２    遊技台
４    制御ユニット
５    コイン識別機
８    状態表示ランプ
１１  コイン投入口
１２  コイン排出口
１５  コイン通路
２０  コインセンサ
２１  コイン材質センサ
２１ａ、２２ａ、２３ａ  発振側コイル
２１ｂ、２２ｂ、２３ｂ  受信側コイル
２２  コイン厚みセンサ
２３  コイン外径センサ
２４  制御回路
２５  識別基準データ
２６  記憶部
２７  識別部
２８  モード切り替え部
２９  送信制御部
３０  更新制御部
３１  昇降ガイド
３２  ソレノイド
４１  制御部
４２  記憶部
４２ａ  コイン識別データ
４２ｂ  更新データ
４３  送受信部
４３ａ  コイル
４４  発電部
Ｃ    コイン
Ｃａ  データ更新用コイン
【図１】
2007179409.tif 000003
【図２】
2007179409.tif 000004
【図３】
2007179409.tif 000005